(57)【要約】【課題】  ブラシのベース盤への取り付け、取り外しが簡単であり、しっかりとブラシをベース盤へ取り付けできるブラシ固着構造を提供すること目的とする。【解決手段】多数本のブラシ毛５が直線状の取付部材２に帯板面状に保持されているブラシ１のベース盤３への固着構造である。取付部材２がベース盤３に当接され、かつ、取付部材２が一対の押さえ板部材４，４により両側から挟まれて、ブラシ１がベース盤３に固着されているものである。【選択図】    図１
2005137447.tif 000002
【特許請求の範囲】
【請求項１】
多数本のブラシ毛（５）が直線状の取付部材（２）に帯板面状に保持されているブラシ（１）のベース盤（３）への固着構造であって、該取付部材（２）が該ベース盤（３）に当接されかつ該取付部材（２）が一対の押さえ板部材（４）（４）により両側から挟まれて、上記ブラシ（１）が上記ベース盤（３）に固着されていることを特徴とするブラシ固着構造。
【請求項２】
上記押さえ板部材（４）は、上記取付部材（２）を上記ベース盤（３）側へ押圧するよう、該ベース盤（３）に対して傾斜状に押さえ板部材本体部（８）から折り曲げられた傾斜折り曲げ部（９）を有する請求項１記載のブラシ固着構造。
【請求項３】
上記押さえ板部材（４）は、上記ベース盤（３）との間に隙間（Ｇ）を持って、該ベース盤（３）にボルト部材（10）にて固着されている請求項２記載のブラシ固着構造。
【請求項４】
上記ブラシ（１）は複数枚が上記ベース盤（３）に並設され、隣り合うブラシ（１）（１）は、その間の１枚の押さえ板部材（４）にて押さえられ固着される請求項１，２又は３記載のブラシ固着構造。
【請求項５】
上記ブラシ（１）は、１本のブラシ毛線材（12）が芯材（14）を中心に折り返されて２本のブラシ毛（５）とされ、その折り返し部（13）及び芯材（14）を断面略Ｕ字形の上記取付部材（２）にて挟ませ該取付部材（２）を塑性変形させ該ブラシ毛（５）を固定して、構成されている請求項１，２，３又は４記載のブラシ固着構造。
【請求項６】
多数本のブラシ毛（５）が帯板面状に配設されたブラシ（１）をベース盤（３）に複数枚並設させて構成したブラシ体（11）が、対面状となるよう両側方部に立設され、該ブラシ体（11）（11）の間に、ブラシ洗浄領域（Ａ）が形成されているブラシ式洗浄装置。
【発明の詳細な説明】
【技術分野】
【０００１】
本発明は、洗浄用として用いられるブラシの固着構造及びブラシ式洗浄装置に関するものである。
【背景技術】
【０００２】
従来、靴等の洗浄物を洗浄する際に使用されるブラシは、ベースとなる部材にブラシ毛が直接植えつけられている。従って、ブラシが劣化し交換が必要な場合、全体を取り替える必要があった（例えば、特許文献１参照）。
【特許文献１】特開２００３−２３５７８２号公報
【発明の開示】
【発明が解決しようとする課題】
【０００３】
解決しようとする課題は、ブラシの一部について劣化があってもベースごと（全体を）取り替える必要があり不経済である点である。また、ブラシの取り付け、取り外しが困難であり、保守管理に難があるという欠点を有する。
【課題を解決するための手段】
【０００４】
本発明に係るブラシ固着構造は、多数本のブラシ毛が直線状の取付部材に帯板面状に保持されているブラシのベース盤への固着構造であって、該取付部材が該ベース盤に当接されかつ該取付部材が一対の押さえ板部材により両側から挟まれて、上記ブラシが上記ベース盤に固着されているものである。
また、上記押さえ板部材は、上記取付部材を上記ベース盤側へ押圧するよう、該ベース盤に対して傾斜状に押さえ板部材本体部から折り曲げられた傾斜折り曲げ部を有する。
また、上記押さえ板部材は、上記ベース盤との間に隙間を持って、該ベース盤にボルト部材にて固着されている。
また、上記ブラシは複数枚が上記ベース盤に並設され、隣り合うブラシは、その間の１枚の押さえ板部材にて押さえられ固着される。
また、上記ブラシは、１本のブラシ毛線材が芯材を中心に折り返されて２本のブラシ毛とされ、その折り返し部及び該芯材を断面略Ｕ字形の上記取付部材にて挟ませ該取付部材を塑性変形させ該ブラシ毛を固定して、構成されている。
【０００５】
また、本発明に係るブラシ式洗浄装置は、多数本のブラシ毛が帯板面状に配設されたブラシをベース盤に複数枚並設させて構成したブラシ体が、対面状となるよう両側方部に立設され、該ブラシ体の間に、ブラシ洗浄領域が形成されているものである。
【発明の効果】
【０００６】
本発明のブラシ固着構造によれば、一対の押さえ板部材によりブラシの取付部材を挟持して、ブラシをベース盤に固着させるため、ブラシの取り付け及び取り外しが簡単である。また、ブラシをベース盤にしっかりと固着させることができる。
また、複数枚のブラシをベース盤に設けても、１枚のブラシのみの交換が可能となる。
さらに、本発明のブラシ式洗浄装置によれば、構成が簡単であり、かつ、洗浄する対象物をきれいにしかも迅速に洗浄することができる。
【発明を実施するための最良の形態】
【０００７】
図１は、本発明に係るブラシ固着構造の実施の一形態を示す要部断面図であり、図２はその正面図、図３はその側面図である。このブラシ固着構造は、多数本のブラシ毛５が直線状の取付部材２に帯板面状に保持されているブラシ１のベース盤３への固着構造である。この固着構造におけるブラシ１は主に種々物品の洗浄用として用いられるものである。
【０００８】
ブラシ１は、直線状の取付部材２から一方向に向かってブラシ毛５が伸びて帯板面状（平面状）となるものであり、図３に示すように全体が矩形状となる。つまり、直線状の取付部材２にて多数本のブラシ毛５を束ねており、そして、取付部材２にてベース盤３に固着される。
ブラシ１の大きさに制限は無いが、ブラシ１のブラシ毛５の長さＬが 100mm〜 150mmで、ブラシ１の取付部材２の長手方向に沿う方向の長さＢが 250mm〜 400mm程度のものがある。
ブラシ毛５の材質は、例えば樹脂製であり、その線径は 0.5mm〜 1.2mm程度のものがある。
【０００９】
ベース盤３は、平盤状の部材であり、ブラシ１はベース盤３に対して垂直に固着（固定）される。
ベース盤３は、例えば、材質が金属製とされ、形状は、薄板の金属板の縁部が小寸法折り曲げられ一面が開口する薄い箱型とされており、軽量化を図ると共に、ベース盤３全体の剛性を高めている。図２では、ベース盤３が矩形状とれているが、その形状に制限はなく、図示省略するが、切欠部や開口部があってもよい。
【００１０】
そして、本発明の固着構造は、ブラシ１の取付部材２がベース盤３に当接され、かつ、取付部材２が一対の押さえ板部材４，４により両側から挟まれて、ブラシ１がベース盤３に固着されている。さらに説明すると、図１に示すように、取付部材２の直線状の背部面６がベース盤３に当接され、かつ、取付部材２の両側部７，７が一対の押さえ板部材４，４により両側から挟まれている。
【００１１】
押さえ板部材４は、取付部材２をベース盤３側へ押圧するよう、ベース盤３に対して傾斜状に押さえ板部材本体部８から折り曲げられた傾斜折り曲げ部９を有する。つまり、押さえ板部材４は、ベース盤３に平行であって対面状となる平面状の本体部８と、縁部が所定の角度で折り曲げられた傾斜折り曲げ部９と、を有する。
そして、押さえ板部材４は、本体部８の中央部において、押さえ板部材４の長手方向の複数箇所（図２では２箇所）で、固定金具（ボルト部材10）にてベース盤３に固着されている。
【００１２】
押さえ板部材４の長手寸法は、図２に示すようブラシ１の長さＢと略同一の長さを有し、ブラシ１の全長に沿って傾斜折り曲げ部９が形成されている。
即ち、本発明の固着構造は、ブラシ１の取付部材２が、ベース盤３の面に平行な方向において一対の押さえ板部材４，４の夫々の傾斜折り曲げ部９，９にて挟まれ、かつ、ベース盤３の面直交方向において傾斜折り曲げ部９とベース盤３との間に、挟まれて固着されていると言える。
【００１３】
傾斜折り曲げ部９は、本体部８に対して90°を越える角度（鈍角）θにて折り曲げられており、その折り曲げ角度θは、90°を越え145 °以下に設定されている（90°＜θ≦145 °）。
また、押さえ板部材４は、ブラシ１の取付部材２が押さえ板部材４，４間から抜け出ないよう保持するだけの剛性を有し、かつ、弾性変形可能な部材とされ、例えば金属製の板にて構成されている。
【００１４】
さらに、押さえ板部材４は、図１に示すように、ベース盤３との間に隙間Ｇを持って、ベース盤３にボルト部材10にて固着されている。つまり、ブラシ１は、ブラシ１の取付部材２の高さ寸法より小さい寸法の隙間Ｇが形成されるようベース盤３に固着されている。
押さえ板部材４の中央部はボルト部材10にてベース盤３と連結され、押さえ板部材４の傾斜折り曲げ部９である縁部が自由状態となる。そして、この隙間Ｇの存在により、ボルト部材10による押さえ板部材４のベース盤３への締め付けにて、押さえ板部材４が、バネ片として作用し、ブラシ１の取付部材２をベース盤３側へ押圧するよう弾発付勢して保持することができる。
【００１５】
また、ボルト部材10のベース盤３への取り付けは、ベース盤３の板部に雌ネジ孔を形成しボルト部材10を螺合させてもよく、又は図示省略するが、ベース盤３にはボルト部材10を挿通させる貫孔を形成し、貫孔を挿通するボルト部材10をナット部材にて固定させてもよい。この場合、ナット部材をベース盤３の裏面に溶接等にて固着させればよい。
即ち、ボルト部材10を外すことで、押さえ板部材４を離脱させ、簡単にブラシ１をベース盤３から取り外すことができる。
【００１６】
また、図２に示すように、ブラシ１は複数枚がベース盤３に並設され、隣り合うブラシ１，１は、その間の１枚の押さえ板部材４にて押さえられ、ブラシ１，１がベース盤３に固着されている。つまり、１枚の押さえ板部材４により、その両縁に形成した傾斜折り曲げ部９，９にて、ブラシ１を押さえ固着する。
【００１７】
つまり、図２に示すように、１枚のベース盤３において、５枚の押さえ板部材４にて４枚のブラシ１が並設されている。即ち、ブラシ１の枚数に１だけ多い枚数の押さえ板部材４が用いられており、押さえ板部材４とブラシ１が交互にベース盤３に配設されている。
即ち、２枚のブラシ１，１に対し、１枚の押さえ板部材４を共用させている。
【００１８】
また、複数枚の押さえ板部材４のうち、最外方（両側）の押さえ板部材４は、１辺（一方側の縁部）のみに傾斜折り曲げ部９を形成させればよく、ブラシ１，１の間の押さえ板部材４は、２辺（両縁部）に傾斜折り曲げ部９，９が、形成されている。
【００１９】
図４は、ブラシの構成を説明する説明図である。図４（ａ）は、ブラシ１の分解図（ブラシ組み立て前）であり、図４（ｂ）は、組み立て後の図である。
ブラシ１は、１本のブラシ毛線材12が芯材14を中心に折り返されて２本のブラシ毛５とされ、その折り返し部13及び芯材14を断面略Ｕ字形の取付部材２にて挟ませ取付部材２を塑性変形させ（カシメ）ブラシ毛５を固定して、構成されている。
取付部材２の材質は、金属製とされ、塑性変形可能な部材である。
【００２０】
ブラシ毛線材12は、直線状の芯材14に半周巻かれて、180 °折り返されている。従って、取付部材２によりブラシ毛線材12の折り返し部13をカシメた際、強固にブラシ毛５を固定し、ブラシ毛５が取付部材２から抜け出にくくなる。
つまり、組み立ては、ブラシ毛線材12を芯材14に半周巻いた折り返し部13を断面Ｕ字形の取付部材２の凹部に挿し込み、取付部材２の開口部を閉じるよう（矢印ａ方向）押圧し、開口部を狭めて塑性変形させている。
また、ブラシ毛５が、取付部材２の長手方向端部から抜け出ないよう、取付部材２の両端部においても、取付部材２が塑性変形されて口が閉じられている。
【００２１】
次に、図５と図６は、上記ブラシ固着構造が用いられ構成されたブラシ体11によるブラシ式洗浄装置の実施の一形態を示す正面図と断面側面図である。
この洗浄装置は、多数本のブラシ毛５が帯板面状に配設されたブラシ１をベース盤３に複数枚並設させて構成したブラシ体11を、対面状となるよう両側方部に立設させ、ブラシ体11，11の間に、ブラシ洗浄領域Ａを形成している。
【００２２】
この洗浄装置は、例えば靴（長靴）、自動車や２輪車等のタイヤ、野菜等を洗浄対象としており、ブラシ体11，11の間のブラシ洗浄領域Ａに洗浄対象物を通過、乃至、往復させ、ブラシ１にて洗浄を行う。
また、この洗浄装置は、両側方のブラシ体11，11の他に、装置の下部に設けられブラシ毛５が上方へ向く底面ブラシ体15が配設されている。これによれば、洗浄物（靴）を両側方から綺麗にすることができると共に、洗浄物の底面を同時に洗浄することができる。
【００２３】
この底面ブラシ体15におけるブラシ固着構造は、図１に示したものと同様であり、ブラシ１のベース盤３への固着は、押さえ板部材４が用いられている。なお、図５，６の洗浄装置では、ベース盤３が手前下傾に配設されており、靴底の洗浄を行いやすくしている。
【００２４】
図７は、本発明の固着構造の他の実施の形態を示す断面側面図であり、これは図５，６の洗浄装置の底面ブラシ体15の固着に用いられている。
この固着構造は、ベース盤３のブラシ固定面側に立設状の固定片部16を形成している。
固定片部16は、ブラシ１の取付部材２を押さえ板部材４と共働きして挟んで固定する───押さえ板部材４の傾斜折り曲げ部９と同様の作用を有する───よう、ベース盤３の平面部から所定の角度（鋭角）にて立設されている。つまり、ブラシ１の取付部材２を、一方から上記の押さえ板部材４により、他方から固定片部16により挟んで、固定している。
【００２５】
さらに、この洗浄装置は、図５と図６に示すように、両側方部には、複数の洗浄液噴出口18が形成された洗浄水管19，19が配設されており、ブラシ洗浄領域Ａに向かって洗浄液を噴出させている。噴出口18は、側方のブラシ体11の上方位置においてブラシ体11のブラシ並設方向に沿って複数個配設され、また、底面ブラシ体15の上方位置で手前位置にも配設されている。つまり、洗浄対象物をブラシ１にて擦りながら、洗浄液にて汚れを流し落とすことができる。
また、この洗浄装置を靴の洗浄に用いる場合、ブラシ体11の上方位置であって、人の腰の高さに対応する位置に、水平状の手すり杆20を設けてもよい。
【００２６】
さらに、図示省略するが、洗浄装置の他の形態としては、ブラシ体11を底面のみに配設させた（底面ブラシ体15のみとした）ものとしてもよい。または、側方のブラシ体11を一方側のみとしてもよい。
【００２７】
以上のように、本発明によれば、多数本のブラシ毛５が直線状の取付部材２に帯板面状に保持されているブラシ１のベース盤３への固着構造であって、取付部材２がベース盤３に当接されかつ取付部材２が一対の押さえ板部材４，４により両側から挟まれて、ブラシ１がベース盤３に固着されているため、ブラシ１の取り付け及び取り外しが簡単である。
また、ブラシ１をベース盤３にしっかりと固着させることができる。
複数枚のブラシ１をベース盤３に設けても、１枚のブラシ１のみの交換が可能となる。
【００２８】
また、押さえ板部材４は、取付部材２をベース盤３側へ押圧するよう、ベース盤３に対して傾斜状に押さえ板部材本体部８から折り曲げられた傾斜折り曲げ部９を有するため、ブラシ１の取付部材２が一対の押さえ板部材４，４から抜け出ることがなく、かつ、取付部材２を強固に固着させることができる。
【００２９】
また、押さえ板部材４は、ベース盤３との間に隙間Ｇを持って、ベース盤３にボルト部材10にて固着されているため、ボルト部材10の締め付けにより、押さえ板部材４にてブラシ１の取付部材２をベース盤３側へ弾発付勢的に押し付けることができ、より一層強固に、取付部材２をベース盤３に固着させることができる。
【００３０】
また、ブラシ１は複数枚がベース盤３に並設され、隣り合うブラシ１，１は、その間の１枚の押さえ板部材４にて押さえられ固着されるため、１枚のブラシ１に対して２枚ずつの押さえ板部材４，４を必要としない。つまり、ブラシ１の枚数の２倍の枚数の押さえ板部材４ではなく、ブラシの枚数に１つ多いだけの枚数の押さえ板部材４でよく、構造が簡素化され、かつ、経済的である。
【００３１】
ブラシ１は、１本のブラシ毛線材12が芯材14を中心に折り返されて２本のブラシ毛５とされ、その折り返し部13及び芯材14を断面略Ｕ字形の取付部材２にて挟ませ取付部材２を塑性変形させブラシ毛５を固定して、構成されているため、ブラシ１の製作が容易であり、かつ、ブラシ毛５が抜けにくく、耐久性のあるものとできる。
【００３２】
多数本のブラシ毛５が帯板面状に配設されたブラシ１をベース盤３に複数枚並設させて構成したブラシ体11が、対面状となるよう両側方部に立設され、ブラシ体11，11の間に、ブラシ洗浄領域Ａが形成されているため、構成が簡単であり、かつ、洗浄する対象物をきれいにしかも迅速に洗浄することができる。
【図面の簡単な説明】
【００３３】
【図１】本発明のブラシ固着構造の実施の一形態を示す要部断面図である。
【図２】ブラシ固着構造の正面図である。
【図３】ブラシ固着構造の側面図である。
【図４】ブラシの構成を説明する説明図である。
【図５】本発明のブラシ式洗浄装置の実施の一形態を示す正面図である。
【図６】ブラシ式洗浄装置の断面側面図である。
【図７】本発明のブラシ固着構造の他の実施の形態を示す断面図である。
【符号の説明】
【００３４】
１  ブラシ
２  取付部材
３  ベース盤
４  押さえ板部材
５  ブラシ毛
８  押さえ板部材本体部
９  傾斜折り曲げ部
10  ボルト部材
11  ブラシ体
12  ブラシ毛線材
13  折り返し部
14  芯材
Ａ  ブラシ洗浄領域
Ｇ  隙間
【図１】
2005137447.tif 000003
【図２】
2005137447.tif 000004
【図３】
2005137447.tif 000005
【図４】
2005137447.tif 000006
【図５】
2005137447.tif 000007
【図６】
2005137447.tif 000008
【図７】
2005137447.tif 000009